(57)【特許請求の範囲】
【請求項１】
冷蔵庫本体内に構成された上段冷凍室及び下段冷凍室と、
前記上段冷凍室及び下段冷凍室と断熱仕切壁により隔てられた冷蔵室と、
前記上段冷凍室及び下段冷凍室を冷却する冷気が熱交換される冷却器と、
前記冷却器及び送風機が設けられた冷却器室と、
該冷却器室と前記上段冷凍室及び下段冷凍室とを区画する仕切化粧板と、
該仕切化粧板に設けられて前記下段冷凍室に冷気を送る下段冷凍室吹き出し口と、
前記仕切化粧板に設けられて前記上段冷凍室に冷気を送る上段冷凍室吹き出し口と、を備えた冷蔵庫において、
前記上段冷凍室吹き出し口の前記上段冷凍室側に位置する冷気量調節装置と、該冷気量調節装置を操作する操作体と、を備え、
前記冷気量調節装置は冷気ガイドを備え、該冷気ガイド下面に吹き出し口が形成されて、前記操作体を前記冷気ガイドの外郭を利用してスライドさせ前記吹き出し口の開口面積を可変させ前記上段冷凍室の温度を異なる二つ以上の室温とすることを特徴とする冷蔵庫。
【請求項２】
前記操作体が前記吹き出し口の開口を塞いだ時の室温を弱冷凍温度帯とし、前記吹き出し口の開口を全開した時の室温を通常の冷凍温度帯としたことを特徴とする請求項１記載の冷蔵庫。
【請求項３】
前記操作体の移動操作により前記上段冷凍室吹き出し口の開口面積を数段階に可変させ貯蔵室の室温を変えることを特徴とする請求項２記載の冷蔵庫。
【発明の詳細な説明】
【技術分野】
【０００１】
本発明は、冷蔵庫に関する。
【背景技術】
【０００２】
特許文献１には、冷却器で熱交換した冷気が送風機で送風され、冷凍室ダクトを介して、冷凍室の背面側に複数設けられた吹き出し口から冷凍室に吹き出される構成が記載されている。上記多段に設けられた吹き出し口からの冷気の吹き出しは、ダンパの開閉により制御している。尚、特許文献２は氷温室に収納する食品の収納量に応じて、冷気の吹き出し量を調節可能とする手動調節のシャッターが開示されている。
【先行技術文献】
【特許文献】
【０００３】
【特許文献１】特開２００９−１４３２０号公報
【特許文献２】特開平８−１７８５０３号公報
【発明の概要】
【発明が解決しようとする課題】
【０００４】
しかしながら、特許文献１に記載の冷蔵庫は、冷凍室の背面側に複数設けられた吹き出し口からの冷気の吹き出しを共通のダンパを開閉することで制御しているため、送風機によって形成される冷気流れに対して十分な配慮がされていない。そのため、冷凍室内が複数の扉で区画されていても、各扉で区画された空間ごとに冷気の吹き出しを制御することができない。
【０００５】
また、特許文献２に記載の冷蔵庫は、氷温室に収納する食品の収納量に応じて冷気の吹き出し量を調節するが、冷却温度を調節することはできず、冷却温度を調節することについて考慮されていない。
【０００６】
本発明は以上のような問題点に鑑みてなされたものであり、冷凍室内を複数の扉で区画した空間の少なくとも一つの空間の温度を、通常の冷凍温度帯と弱冷凍温度帯（ソフト冷凍）に、簡単な構成で且つ確実に切り替え可能な冷蔵庫を提供することを目的とする。
【０００７】
または、本発明は、使用者が、庫内を複数の温度帯に、簡単な構成で且つ確実に切り替えることができる冷蔵庫を提供することを目的とする。
【課題を解決するための手段】
【０００８】
上記課題は以下により解決される。即ち、冷蔵庫本体内に構成された上段冷凍室及び下段冷凍室と、前記上段冷凍室及び下段冷凍室と断熱仕切壁により隔てられた冷蔵室と、前記上段冷凍室及び下段冷凍室を冷却する冷気が熱交換される冷却器と、前記冷却器及び送風機が設けられた冷却器室と、該冷却器室と前記上段冷凍室及び下段冷凍室とを区画する仕切化粧板と、該仕切化粧板に設けられて前記下段冷凍室に冷気を送る下段冷凍室吹き出し口と、前記仕切化粧板に設けられて前記上段冷凍室に冷気を送る上段冷凍室吹き出し口と、を備えた冷蔵庫において、前記上段冷凍室吹き出し口の前記上段冷凍室側に位置する冷気量調節装置と、該冷気量調節装置を操作する操作体と、を備え、前記冷気量調節装置は冷気ガイドを備え、該冷気ガイド下面に吹き出し口が形成されて、前記操作体を前記冷気ガイドの外郭を利用してスライドさせ前記吹き出し口の開口面積を可変させ前記上段冷凍室の温度を異なる二つ以上の室温とすることを特徴とする。
【００１０】
また、前記操作体が前記吹き出し口の開口を塞いだ時の室温を弱冷凍温度帯（例えば、ソフト冷凍）とし、前記吹き出し口の開口を全開した時の室温を通常の冷凍温度帯（例えば、弱冷凍温度帯として相対的に温度の低い温度帯）としたことを特徴とする。
【００１１】
また、前記操作体の移動操作により前記上段冷凍室吹き出し口の開口面積を数段階に可変させ貯蔵室の室温を変えることを特徴とする。
【発明の効果】
【００１３】
本発明によれば、冷凍室内を複数の扉で区画した空間の少なくとも一つの空間の温度を、通常の冷凍温度帯と弱冷凍温度帯（ソフト冷凍）に、簡単な構成で且つ確実に切り替えることができる。
【００１４】
または、本発明によれば、使用者は、庫内を複数の温度帯に、簡単な構成で且つ確実に切り替えることができる。
【図面の簡単な説明】
【００１５】
【図１】本発明の実施形態に係る冷蔵庫の正面外形図。
【図２】本発明の実施形態に係る冷蔵庫の庫内の構成を表す図１のＸ−Ｘ断面図。
【図３】本発明の実施形態に係る冷蔵庫の庫内の構成を表す正面図。
【図４】図２の要部拡大説明図。
【図５】図３の要部拡大説明図。
【図６】本発明の冷気量調節装置を備えた仕切化粧板の斜視図。
【図７】冷気量調節装置を構成する冷気ガイドと作動体の分解斜視図。
【図８】図７に示す冷気ガイドと作動体とを組み合せた冷気量調節装置の斜視図で吹き出し口を全開にした図。
【図９】図８の冷気量調節装置を矢印Ｐ１方向より見た図。
【図１０】図８のＡ−Ａ断面図。
【図１１】図７に示す冷気ガイドと作動体とを組み合せた冷気量調節装置の斜視図で吹き出し口を閉方向にした図。
【図１２】図１１の冷気量調節装置を矢印Ｐ２方向より見た図。
【図１３】図１１のＢ−Ｂ断面図。
【図１４】図７とは異なる第二の実施形態を示す冷気量調節装置の分解斜視図。
【図１５】図１４示す冷気ガイドと作動体とを組み合せた冷気量調節装置の斜視図で吹き出し口を全開にした図。
【図１６】図１５の冷気量調節装置を矢印Ｐ３方向より見た図。
【図１７】図１５のＣ−Ｃ断面図。
【図１８】図１４に示す冷気ガイドと作動体とを組み合せた冷気量調節装置の斜視図で吹き出し口を閉方向にした図。
【図１９】図１８の冷気量調節装置を矢印Ｐ４方向より見た図。
【図２０】図１８のＤ−Ｄ断面図。
【図２１】図７，図１４とは異なる第三の実施形態を示す冷気量調節装置の分解斜視図。
【図２２】図２１の冷気量調節装置を矢印Ｐ５方向より見た図。
【図２３】図２１に示す冷気ガイドと作動体とを組み合せた冷気量調節装置の斜視図で吹き出し口を閉方向にした図。
【図２４】図２３の冷気量調節装置を矢印Ｐ６方向より見た図。
【図２５】図２３のＥ−Ｅ断面図。
【図２６】図２１示す冷気ガイドと作動体とを組み合せた冷気量調節装置の斜視図で吹き出し口を全開方向にした図。
【図２７】図２６の冷気量調節装置を矢印Ｐ７方向より見た図。
【図２８】図２７のＦ−Ｆ断面図。
【図２９】図７，図１４，図２１とは異なる第四の実施形態を示す冷気量調節装置の分解斜視図。
【図３０】図２９をＰ８方向より見た斜視図。
【図３１】図２９に示す冷気ガイドと作動体とを組み合せた冷気量調節装置の斜視図で吹き出し口を閉方向にした図。
【図３２】図３１のＧ−Ｇ断面図。
【図３３】図３１の冷気量調節装置を全開した図。
【図３４】図３３の横断図面。
【発明を実施するための形態】
【００１６】
以下、本発明に係る冷蔵庫の実施例１乃至４を説明する。
【実施例１】
【００１７】
本発明に係る冷蔵庫の実施形態を、図１から図５により説明する。
【００１８】
図１は、本実施形態の冷蔵庫１の正面外形図であり、図２は、冷蔵庫１の庫内の構成を表す図１におけるＸ−Ｘ縦断面図であり、図３は、冷蔵庫１の庫内の構成を表す正面図であり、冷気ダクトや吹き出し口の配置などを示す図であり、図４は、図２の要部拡大説明図である。図５は、図３の要部拡大説明図である。
【００１９】
図１に示すように、本実施形態の冷蔵庫１は、食品収納室として、上方から、冷蔵室２，製氷室３，上段冷凍室４，下段冷凍室５，野菜室６を備えている。
【００２０】
冷蔵室２は前方側に、左右に分割された観音開きの冷蔵室扉２ａ，２ｂを備え、製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。以下では、冷蔵室扉２ａ，２ｂ，製氷室扉３ａ，上段冷凍室扉４ａ，下段冷凍室扉５ａ，野菜室扉６ａを単に扉２ａ，２ｂ，３ａ，４ａ，５ａ，６ａと称する。
【００２１】
また、冷蔵庫１は、扉２ａ，２ｂ，３ａ，４ａ，５ａ，６ａの各扉の開閉状態をそれぞれ検知する図示しない扉センサ、冷蔵室２や野菜室６の温度設定や冷凍室の温度設定をする温度設定器等（図示省略）を備える。
【００２２】
図２に示すように、冷蔵庫１の庫外と庫内は、発泡断熱材（発泡ポリウレタン）を充填することにより形成される断熱箱体１０により隔てられている。冷蔵庫１の断熱箱体１０は真空断熱材２５を実装している。
【００２３】
庫内は、断熱仕切壁２８により冷蔵室２と、上段冷凍室４及び製氷室３（図１参照，図２中で製氷室３は図示されていない）とが隔てられ、断熱仕切壁２９により、下段冷凍室５と野菜室６とが隔てられている。換言すると、上記上段冷凍室４の開口は図１、図２に示す如く、他の室に比較して小さい。このため、この上段冷凍室４の開口より奥の仕切化粧板５４平面上に設けられた操作部を調節することは奥すぎて非常に大変な操作となる。
【００２４】
扉２ａ，２ｂ（図１参照）の庫内側には複数の扉ポケット３２が備えられている。また、冷蔵室２は複数の棚３６により縦方向に複数の貯蔵スペースに区画されている。
【００２５】
図２に示すように、上段冷凍室４，下段冷凍室５及び野菜室６は、それぞれの室の前方に備えられた扉４ａ，５ａ，６ａと一体に引き出される、収納容器４ｂ，５ｂ，６ｂがそれぞれ設けられており、扉４ａ，５ａ，６ａの図示しない取手部に手を掛けて手前側に引き出すことにより収納容器４ｂ，５ｂ，６ｂが引き出せるようになっている。図１に示す製氷室３にも同様に、扉３ａと一体に、図示しない収納容器（図２中（３ｂ）で表示）が設けられ、扉３ａの図示しない取手部に手を掛けて手前側に引き出すことにより収納容器３ｂが引き出せるようになっている。なお上段冷凍室４は、急速冷凍室として使用できる。急速冷凍性能の向上のために、上段冷凍室４の収納容器４ｂには図示しないアルミトレーが備えられており、冷凍速度が向上するようになっている。
【００２６】
図２に示すように（適宜図３〜図５参照）、冷却器７は下段冷凍室５の略背部に備えられた冷却器収納室８内に設けられており、冷却器７の上方に設けられた送風機９により冷却器７と熱交換して冷やされた空気（冷気、以下、冷却器７で冷やされてできた低温空気を冷気と称する）が冷蔵室送風ダクト１１，冷凍室送風ダクト１２を介して、冷蔵室２，上段冷凍室４，下段冷凍室５，製氷室３の各室へ送られる。各室への送風は冷蔵室ダンパ２０と冷凍室ダンパ５０の開閉により制御される。
【００２７】
ちなみに、冷蔵室送風ダクト１１，冷凍室送風ダクト１２は、図３に破線で示すように冷蔵庫１の各室の背面側に設けられている。
【００２８】
具体的には、冷蔵室ダンパ２０が開状態、冷凍室ダンパ５０が閉状態のときには、冷気は、冷蔵室送風ダクト１１を経て多段に設けられた吹き出し口２ｃから冷蔵室２に送られる。冷気は、冷蔵室２の冷却を終えた後に、冷蔵室２の背面右側下部に備えられた冷蔵室戻り口２ｄから流入し、冷蔵室−野菜室連通ダクト１６を介して、野菜室６背面右側上部に設けられた野菜室吹き出し口６ｃから野菜室６に流入して野菜室６を冷却する。野菜室６を冷却した冷気は、断熱仕切壁２９の下部前方に設けられた、野菜室戻り口６ｄから、野菜室戻りダクト１８を介して、冷却器７の幅とほぼ等しい幅の野菜室戻り吹き出し口１８ａから流入する（図３または図５参照）。
【００２９】
図３では冷凍室ダンパ５０が省略されているが、冷凍室ダンパ５０が開状態のとき、冷却器７で熱交換された冷気が送風機９により昇圧され、冷凍室送風ダクト１２を経て吹き出し口３ｃ，４ｃ，５ｃからそれぞれ製氷室３，上段冷凍室４，下段冷凍室５へ送風される。なお、図３に示すとおり、本実施形態の冷蔵庫１では、冷凍室６０の吹き出し口３ｃ〜５ｃは、計７個備えられており、吹き出し口３ｃ〜５ｃの周長の合計は１２００mmである。
【００３０】
図４に示すように本実施形態の冷蔵庫１では、冷却器７の上方に送風機９を設け、送風機９の上方に冷凍室ダンパ５０を設けている。さらに、冷凍室ダンパ５０の上方に冷凍室６０の上段に位置する上段冷凍室４に冷気を送り出す上段冷凍室吹き出し口４ｃと製氷室吹き出し口３ｃ（図３参照）が備えられている。なお、上段冷凍室吹き出し口４ｃは、冷凍室の吹き出し口の中で最も開口面積が大きくなっている。また、上記冷凍室吹き出し口４ｃは後述する冷気量調節装置６１によって構成されている。即ち、この冷気量調節装置６１は仕切化粧板５４に取り付けられ、他の吹き出し口同様冷凍室ダンパ５０より吹き出される冷気を取り入れている。冷蔵庫１の扉側を冷蔵庫の手前側とすると、冷気量調節装置６１は、冷蔵庫１の庫内の奥側に位置する（奥側壁面である仕切化粧板５４に取り付けられている）。また、上記吹き出し口４ｃは冷気量調節装置６１の先端に設けられており、この先端は収納容器４ｂの投影面内に位置している。投影面内に位置するとは、冷蔵庫１の上下方向（重力作用方向または冷蔵庫１の高さ方向）から見て、収納容器４ｂの投影面内に位置することをいう。よって、吹き出し口４ｃ（冷気量調節装置６１の先端）は、収納容器４ｂよりも上方で、かつ、収納容器４ｂの奥側の外周面よりも手前側に位置する。換言すると、冷気量調節装置６１の吹き出し口４ｃは上段冷凍室４に位置し、収納容器４ｂの開口側に限りなく近づけて設けられている。これによって、冷気を収納容器４ｂ内に直接に投入ことができ、収納容器４ｂ内の温度を効率よく、高速に下げることができる。吹き出し口４ｃ（冷気量調節装置６１の先端）は、収納容器４ｂの上部開口に達していてもよいが、収納容器４ｂの内側（庫内の手前側）にあまりにも飛び出していると、収納容器４ｂに収容した物がぶつかる恐れがあるため、収納容器４ｂの奥側の壁面に近いほうが好ましい。ただし、吹き出し口４ｃ（冷気量調節装置６１の先端）は、吹き出し口４ｃから吐出された冷気が収納容器４ｂの上部開口に投入できれば、収納容器４ｂの投影面外に位置していてもよい。尚、冷気量調節装置６１は、冷蔵庫１の水平方向に対して、冷気量調節装置６１の先端が下方向を向くように、傾斜して形成するのが好ましいが、冷蔵庫１の水平方向を向くように形成してもよい。また、吹き出し口４ｃの開口方向（空気の吐出方向）も、冷蔵庫１の水平方向に対して、収納容器４ｂに向かって下方向を向くように、傾斜して形成するのが好ましいが、冷蔵庫１の水平方向を向くように形成してもよい。いずれにしても、吹き出し口４ｃを構成する冷気量調節装置６１の先端を上段冷凍室４に位置するように設けて、上段冷凍室４内に冷気を吹き出すことで収納容器４ｂ内部を冷却できれば、具体的な配置・形状等は適宜設計すればよい。
【００３１】
図５に示すように、冷蔵室２を冷却した冷気は、冷却器収納室８の側方に備えられた冷蔵室−野菜室連通ダクト１６を通って、野菜室６に流入する。野菜室６からの戻り冷気は、野菜室戻り口６ｄ（図２参照）から流入し、図４に示すように、断熱仕切壁２９の中に設けられた野菜室戻りダクト１８を通って、冷却器収納室８の下部前方に設けられた、冷却器７の幅とほぼ等しい幅寸法の野菜室戻り吹き出し口１８ａ（図５参照）から、冷却器収納室８に流入する。一方、冷凍室６０を冷却した冷気は、図４に示すように、冷却器収納室８と冷凍室６０を仕切る仕切化粧板５４の下部に備えられた、冷却器７の幅とほぼ等しい幅寸法の冷凍室戻り口１７を介して冷却器収納室８に流入する。なお、冷却器収納室８の下方には、除霜ヒータ２２が備えられている。除霜ヒータ２２は、ガラス管ヒータであり、ガラス管の外周にはアルミニウム製の放熱フィン２２ａが備えられている。
【００３２】
除霜ヒータ２２の上方には、除霜水が除霜ヒータ２２に滴下することを防止するために、上部カバー５３が設けられている。また、図５に示すとおり、冷却器収納室８の下部前方には、冷却器７の除霜中の上昇気流が流入する空間である、暖気収納スペース２６が設けられている。この暖気収納スペース２６によって、除霜ヒータ２２に通電することによって実施される除霜運転中に生じる暖気（上昇気流）が、冷凍室６０に流入することを抑えることができる。
【００３３】
冷却器７及びその周辺の冷却器収納室８の壁に付着した霜は、除霜運転時に解かされ、その際に生じた除霜水は冷却器収納室８の下部に備えられた樋２３に流入した後に、排水管２７を介して後記する機械室１９に配された蒸発皿２１に達し、圧縮機２４及び、機械室１９内に配設される図示しない凝縮器及び圧縮機２４の発熱により蒸発させられる。
【００３４】
また、冷却器７の正面から見て左上部には冷却器７に取り付けられた冷却器温度センサ３５，冷蔵室２には冷蔵室温度センサ３３，下段冷凍室５には冷凍室温度センサ３４がそれぞれ備えられており、それぞれ冷却器７の温度（以下、冷却器温度と称する）、冷蔵室２の温度（以下、冷蔵室温度と称する）、下段冷凍室５の温度（以下、冷凍室温度と称する）を検知できるようになっている。更に、冷蔵庫１は、庫外の温度を検知する図示しない外気温度センサを備えている。なお、野菜室６にも野菜室温度センサ３３ａが配置してある。
【００３５】
冷蔵庫１の天井壁上面側にはＣＰＵ，ＲＯＭやＲＡＭ等のメモリ，インターフェース回路等を搭載した制御基板３１が配置されており（図２参照）、制御基板３１は、前記した外気温度センサ，冷却器温度センサ３５，冷蔵室温度センサ３３，野菜室温度センサ３３ａ，冷凍室温度センサ３４，扉２ａ，２ｂ，３ａ，４ａ，５ａ，６ａの各扉の開閉状態をそれぞれ検知する前記した扉センサ、冷蔵室２内壁に設けられた図示しない温度設定器等と接続し、前記ＲＯＭに予め搭載されたプログラムにより、圧縮機２４のＯＮ，ＯＦＦ等の制御、冷蔵室ダンパ２０及び冷凍室ダンパ５０を個別に駆動する図示省略のそれぞれのアクチュエータの制御、送風機のＯＮ／ＯＦＦ制御や回転速度制御、前記した扉開放状態を報知するアラームのＯＮ／ＯＦＦ等の制御を行う。
【００３６】
本実施形態の冷蔵庫１は、冷却器７の上方に送風機９を、送風機９の上方に冷気ダクト１３の出口開口１３ｃを、冷気ダクト出口開口１３ｃの上方に、送風機９の前方に位置する食品収納室（各冷凍室及び製氷室３）の主たる冷却風を吹き出すべく吹き出し口（上段冷凍室吹き出し口４ｃ）を備えている。これにより、省エネルギー性が高い冷蔵庫となっている。理由を以下で説明する。
【００３７】
一般に、冷却器７で熱交換され周囲温度に対して低温となった冷気は、食品収納室に吹き出した後は、上方から下方に向かう下降流を形成するので、冷気を室の上方により多く供給することで、室内を良好に冷却できる。したがって、上段冷凍室吹き出し口４ｃには多くの吐出風量が必要であり、そのために本実施形態の冷蔵庫１では、上段冷凍室吹き出し口４ｃを、冷凍室の吹き出し口の中で最も大きな開口面積としているが、多くの吐出風量を得るためには、開口面積の大小だけでなく、吹き出し口に至るまでの経路における通風抵抗も問題となる。本実施形態の冷蔵庫１では、上述のとおり、冷却器７の上方に送風機９を、送風機９の上方に冷気ダクト１３の出口開口１３ｃ（冷凍室ダンパ５０）を、冷気ダクト１３の出口開口１３ｃ（冷凍室ダンパ５０）の上方に上段冷凍室吹き出し口４ｃを備えているので、冷気は、多くの吐出風量を要する上段冷凍室吹き出し口４ｃに向かってスムーズに流れる。これにより、必要風量を送る際のファン動力を抑えられるので、省エネルギー性が向上する。
【００３８】
次に図６〜図１３をもって、仕切化粧板５４に取り付けた冷気量調節装置６１について説明する。先にも説明した如く、この冷気量調節装置６１は図２に示す如く収納容器４ｂ側に延出し、冷気量調節装置６１の先端は該収納容器４ｂの投影面内に位置する所まで延出している。また上記吹き出し口４ｃは冷気量調節装置６１の先端部に設けられている。また、冷気量調節装置６１は冷気ガイド６２（ノズル）と操作体６３（シャッター）で構成されている。而して、上記冷気ガイド６２には先の吹き出し口４ｃが設けられている。この冷気ガイド６２は底付の内部中空の冷気ガイドで、冷気ガイド下面６２ａ先端（底に近い所）に吹き出し口４ｃが設けられている。つまり、冷気ガイド６２は、冷気が通る流路を形成する。図１０では、吹き出し口４ｃの開口方向は、冷蔵庫１の水平方向よりも下方向に近い方向となっている。
【００３９】
６４は冷気ガイド６２に設けられた係止穴、この係止穴６４には後述する操作体６３の取り付け脚６５が係止する。また、この冷気ガイド６２内には図２に示す冷凍室ダンパ５０を経由した冷気が入り吹き出し口４ｃより上段冷凍室４に吹き出される。６３は操作体で先の底付の内部中空形状をしている冷気ガイド６２の外郭をレールとして奥行方向にスライドする。この操作体６３は底のない内部中空形状を呈するもので冷気ガイド６２外表面を覆う。この操作体６３によって、食品の収納量に関係なく、使用者は、使用者の意思によって手動で上段冷凍室４の温度を調整することができる。冷気量調節装置６１は庫内の奥側に配置されるため、操作体６３が奥行方向にスライドすることによって、使用者は、操作体６３に対して力を加え易く、操作体６３を容易に操作することができる。また、冷気量調節装置６１は収納容器４ｂの上方に配置され、冷気量調節装置６１の直上には壁面が形成されるため、冷気量調節装置６１は、冷蔵庫１の水平方向に対して、冷気量調節装置６１の先端が下方向を向くように、傾斜して形成することによって、使用者の操作が冷気量調節装置６１の直上の壁面に阻害されにくく、使用者は、操作体６３を手前に引き出しやすくなる。操作体６３の先端は、図１０や図１３に示すように、内側に折れ曲がっていてもよいし、折れ曲がらずに操作体６３の先端以外の部分に対して直線状になっていてもよい。
【００４０】
６５は操作体６３に設けられた取り付け脚で、図８の如く冷気ガイド６２の係止穴６４に取り付けられた時には操作体下面６３ａが吹き出し口４ｃより奥に位置し、図１０にも示す如く吹き出し口４ｃを全開としている。この吹き出し口４ｃの全開の状態を確実に維持するために取り付け脚６５の途中には突起部６５ａが設けられている。即ち、上記取り付け脚６５は係止穴６４に対し該取り付け脚６５の弾力性を利用して係止しているもので、上記突起部６５ａ、及び爪６５ｂは操作体６３を奥行方向に押したり、引いたりした時、係止穴６４との係止関係が外れる関係寸法に作られている。
【００４１】
図８から図１０に示す冷気量調節装置６１は操作体６３の下面６３ａが吹き出し口４ｃを全開させるために操作体６３が奥行方向に押された状態を示すもので、図１１〜図１３に示すものは操作体６３を手前側に引き出した状態を示すものを、取り付け脚６５の爪６５ｂが係止穴６４に係止している状態を示す。この時には操作体６３の下面６３ａが吹き出し口４ｃを全閉している状態を示す。尚、吹き出し口４ｃの全開とは、図１０に示すように、吹き出し口４ｃの一部が操作体６３の下面６３ａによって塞がれている場合も含む。吹き出し口４ｃの全閉とは、図１３に示すように、吹き出し口４ｃの壁面と操作体６３の下面６３ａとの間に隙間があり、吹き出し口４ｃの一部が開かれている場合も含む。
【００４２】
操作体６３の下面６３ａが吹き出し口４ｃを全開している時には上段冷凍室４（図２）を通常の冷凍室温度帯（第１の温度帯）に冷却する量の冷気が吹き出し口４ｃより上段冷凍室４に吹き出される。一方操作体６３の下面６３ａが吹き出し口４ｃを全閉している時には上段冷凍室を弱冷凍室温度帯（ソフト冷凍、第１の温度帯よりも温度の高い第２の温度帯）に冷却する量の冷気が吹き出し口４ｃより上段冷凍室４に吹き出される。さらに、吹き出し口４ｃの開口を全開と全閉の間の中間開度とすることにより、上段冷凍室４を、通常の冷凍室温度帯よりも高く弱冷凍室温度帯よりも低い中間冷凍室温度帯（第３の温度帯）に調整することも可能である。通常の冷凍室温度帯に冷却する冷気の量は、弱冷凍室温度帯（ソフト冷凍）に冷却する冷気の量よりも多い。吹き出し口４ｃを全閉している時に、吹き出し口４ｃの壁面と操作体６３の下面６３ａとの間に形成される隙間の開口方向は、冷蔵庫１の水平方向に対して、収納容器４ｂに向かって下方向を向くように、傾斜して形成するのが好ましいが、冷蔵庫１の水平方向を向くように形成してもよい。
【実施例２】
【００４３】
図１４〜図２０は図７で説明した冷気量調節装置には異なる第二の実態形態を示すものである。６６は第二の操作体、６７は第二の冷気ガイド、この第二の実施形態は、第二の操作体６６の係止片６６ａを第二の冷気ガイド６７側のフランジ６７ａに係止させ奥行方向にスライド可能としたものである。この第二の操作体６６をスライドさせ図１７に示す如く吹き出し口４ｃを全開した時が通常の冷凍室温度帯であり、図２の如く吹き出し口４ｃを全開した時が弱冷凍室温度帯である。
【実施例３】
【００４４】
図２１〜図２８は図７，図１４で説明した冷気量調節装置には異なる第三の実態形態を示すものである。この第三の実施形態に示すものは第三の操作体６８を第三の冷気ガイド６９に対し図２６に示す如く左右に移動させ第三の冷気ガイド６９が持つ吹き出し口４ｃを全開全閉させるようにしたものである。
【実施例４】
【００４５】
又図２９〜図３４は図７，図１４，図２１で説明した冷気量調節装置には異なる第四の実態形態で、このものは第四の操作体７０を第四の冷気ガイド７１先端部に回動自在に取り付けたものである。即ち、第四の操作体７０を図３２に示す如く吹き出し口４ｃを閉塞するように把手７０ａを使用者が持って軸７０ｂを軸として回動すると第二の冷凍室４は弱冷凍室温度帯となり、図３４の如く軸７０ｂを軸として回動させると通常の冷凍温度帯室となるものである。勿論この軸７０ｂを中間で止めるようにすると中間の温度帯室となる。又このことは図７，図１４，図２１で説明した実施形態に付いても言えることである。
【００４６】
本発明は以上説明した如き構成を有するものであるから、次の効果が得られるものである。即ち、冷蔵庫本体内に構成された上段冷凍室および下段冷凍室等の貯蔵室と、前記上段冷凍室および下段冷凍室等の貯蔵室を冷却する冷気が熱交換される冷却器と、前記冷却器及び送風機が設けられた冷却器室と上段冷凍室および下段冷凍室等の貯蔵室間とを区画し、送風機で送風された冷気を上段冷凍室と下段冷凍室等の貯蔵室に吹き出す、吹き出し口を備えた仕切化粧板等とを備えた冷蔵庫に於いて、前記吹き出し口を構成する冷気量調節装置の冷気ガイド先端を上記上段冷凍室に位置するよう該冷気量調節装置を仕切化粧板に設け、上記冷気量調節装置を構成する操作体の操作で冷気ガイド先端に設けられた吹き出し口の開口面積を可変させ上記貯蔵室の温度を異なる二つ以上の室温とすることができるようにした冷蔵庫であるから、使用者は貯蔵室の前面側より手を入れ操作体を容易に移動操作することができる冷蔵庫となる。また、この操作により冷凍室内を複数の扉で区画した空間の少なくとも一つの空間の温度を通常の冷凍温度帯と弱冷凍温度帯（ソフト冷凍）に、簡単な構成で且つ確実に切り替えることができる。
【００４７】
また、冷気量調節装置は吹き出し口を有する冷気ガイドと操作体等よりなり、操作体は上記冷気ガイドに組み合わされ、操作体の移動操作により吹き出し口の開口面積を数段階に可変させ貯蔵室の室温を変えることができるようにしたものであるから、仕切化粧板より前方に位置する操作体に冷凍室前方より手を掛けスライドさせる等し、上段冷凍室内の温度を所望の温度に可変させることができる。
【００４８】
また、冷気ガイドの先端に設けられる吹き出し口は冷気ガイドの下面に形成されており、操作体側に設けた包持部は操作体を冷気ガイドの外郭を利用して奥行き方向にスライドさせ、且つ冷気ガイドの係止穴に係止する取り付け脚は操作体下面で上記吹き出し口を全開、全閉とすることができる長さを有し、しかも操作体をスライドの途中で停止させることができる突起部を有しているものであるから、貯蔵室（上段冷凍室）の室温を変えようとする時には操作体を持って取り付け脚の長さの範囲で奥行方向にスライドさせるだけで簡単に室温を可変させることができる。
【００４９】
また、操作体が上記吹き出し口の開口を塞いだ時の室温を弱冷凍温度帯（ソフト冷凍）とし、吹き出し口の開口を全開した時の室温を通常の冷凍温度帯としたものであるから、例えば操作体の取り付け脚を冷気ガイド側の係止穴に最後迄押し込んだ時が吹き出し口全開（吹き出し口を操作体の下面が覆っている状態）で、取り付け脚の途中に設けた突起が係止穴に当たる所まで引き出した時が、吹き出し口半開（吹き出し口を操作体の下面が半分覆っている状態）のように設定し、全開の時を通常の冷凍温度帯、半開の時を弱冷凍温度帯と決めておけば、使用者が容易にこれを設定できる。また、上段冷凍室を弱冷凍温度帯室として使った場合、通常の冷凍温度帯室として使った時に比較して省エネルギ−化も図れる。
【００５０】
本発明は、上段冷凍室４，下段冷凍室５に限らず、冷蔵室２，製氷室３，野菜室６にも利用できる。
【００５１】
庫内（例えば、上段冷凍室４）の奥側（例えば、仕切化粧板５４）に取り付けられ、庫内の奥側から手前に向かって延びて形成され、庫内に冷気を吐出する第１の手段（例えば、冷気ガイド６２）と、第１の手段に対して奥行方向にスライド可能に取り付けられ、そのスライドによって第１の手段の冷気を吐出する開口（例えば、吹き出し口４ｃ）の開口面積を調節する第２の手段（例えば、操作体６３）とを有することを特徴とする。これによって、使用者は、庫内を複数の温度帯に、簡単な構成で且つ確実に切り替えることができる。
【符号の説明】
【００５２】
１  冷蔵庫
２  冷蔵室
３  製氷室（冷凍室）
４  上段冷凍室（冷凍室）
５  下段冷凍室（冷凍室）
６  野菜室（冷蔵室）
７  冷却器
８  冷却器収納室
９  送風機
１０  断熱箱体
１１  冷蔵室送風ダクト
１２  冷凍室送風ダクト
１３  冷気ダクト
１５  冷蔵室ダクト
１６  冷蔵室−野菜室連通ダクト
１７  冷凍室戻り口
１８  野菜室戻りダクト
１８ａ  野菜室戻り吹き出し口
１９  機械室
２０  冷蔵室ダンパ
２１  蒸発皿
２２  除霜ヒータ
２３  樋  
２４  圧縮機
２６  暖気収納スペース
３１  制御基板
３３  冷蔵室温度センサ
３３ａ  野菜室温度センサ
３４  冷凍室温度センサ
３５  冷却器温度センサ
５０  冷凍室ダンパ
５３  上部カバー
５４  仕切化粧板
６０  冷凍室
６１  冷気量調節装置
６２  冷気ガイド
６２ａ  冷気ガイド下面
６３  操作体
６３ａ  操作体下面
６４  係止穴
６５  取り付け脚
６５ａ  突起部
６５ｂ  爪
６６  第二の操作体
６６ａ  係止片
６７  第二の冷気ガイド
６７ａ  フランジ
６８  第三の操作体
６９  第三の冷気ガイド
７０  第四の操作体
７０ａ  把手
７０ｂ  軸
７１  第四の冷気ガイド
【図１】
0005386298.tif 000002
【図２】
0005386298.tif 000003
【図３】
0005386298.tif 000004
【図４】
0005386298.tif 000005
【図５】
0005386298.tif 000006
【図６】
0005386298.tif 000007
【図７】
0005386298.tif 000008
【図８】
0005386298.tif 000009
【図９】
0005386298.tif 000010
【図１０】
0005386298.tif 000011
【図１１】
0005386298.tif 000012
【図１２】
0005386298.tif 000013
【図１３】
0005386298.tif 000014
【図１４】
0005386298.tif 000015
【図１５】
0005386298.tif 000016
【図１６】
0005386298.tif 000017
【図１７】
0005386298.tif 000018
【図１８】
0005386298.tif 000019
【図１９】
0005386298.tif 000020
【図２０】
0005386298.tif 000021
【図２１】
0005386298.tif 000022
【図２２】
0005386298.tif 000023
【図２３】
0005386298.tif 000024
【図２４】
0005386298.tif 000025
【図２５】
0005386298.tif 000026
【図２６】
0005386298.tif 000027
【図２７】
0005386298.tif 000028
【図２８】
0005386298.tif 000029
【図２９】
0005386298.tif 000030
【図３０】
0005386298.tif 000031
【図３１】
0005386298.tif 000032
【図３２】
0005386298.tif 000033
【図３３】
0005386298.tif 000034
【図３４】
0005386298.tif 000035